(57)【要約】【課題】  充電スタンドにおける車両の待機時間を減少させ、充電スタンドの稼働効率を向上させ得る電気自動車用充電スタンド案内システムの提供。【解決手段】  電気自動車のバッテリを充電するための充電スタンドの案内システムである。充電スタンドの位置情報を蓄積した充電スタンドデータベースと、充電スタンド毎の過去から現在までの稼働状況を蓄積した稼働状況データベースと、情報処理を行う制御部と、を含み、制御部は、充電スタンドから選択された選択充電スタンド及び到着予想時刻の決定を受けて、稼働状況データベースの選択充電スタンドの過去の稼働状況から到着予想時刻における稼働予想情報を作成することを特徴とする。【選択図】  図３
2014225167.tif 000002
【特許請求の範囲】
【請求項１】
電気自動車のバッテリを充電するための充電スタンドの案内システムであって、
前記充電スタンドの位置情報を蓄積した充電スタンドデータベースと、
前記充電スタンド毎の過去から現在までの稼働状況を蓄積した稼働状況データベースと、
情報処理を行う制御部と、を含み、
前記制御部は、
前記充電スタンドから選択された選択充電スタンド及び到着予想時刻の決定を受けて、前記稼働状況データベースの前記選択充電スタンドの過去の稼働状況から前記到着予想時刻における稼働予想情報を作成することを特徴とする案内システム。
【請求項２】
前記車両毎に搭載されたバッテリデータを蓄積した会員車両データベースを更に含み、
前記制御部は、
案内の対象となる車両である案内車両を特定するＩＤとともに、現在位置の位置情報を受信すると、
前記充電スタンドデータベースから前記位置情報に対応して前記充電スタンドを前記選択充電スタンドとして選択し、前記案内車両と前記選択充電スタンドとの距離から到着予想時刻を算出し、この決定を受けて、稼働予想情報を作成することを特徴とする請求項１記載の案内システム。
【請求項３】
前記稼働予想情報は、前記稼働状況データベースに蓄積された前記選択充電スタンドの所定期間内における前記到着予想時刻と同一曜日、同一時刻の稼働状況を含むことを特徴とする請求項２記載の案内システム。
【請求項４】
前記制御部は、
前記案内車両から前記選択充電スタンドの予約を受信すると、
バッテリ情報を更に受信し、前記会員車両データベースの前記バッテリデータから前記案内車両の前記選択充電スタンドで充電したときに要する時間である占有時間を算出し、
前記到着予想時刻及び前記占有時間に基づいて前記選択充電スタンドにおける充電予約を前記稼働状況データベースに更新しつつ蓄積することを特徴とする請求項２又は３に記載の案内システム。
【請求項５】
前記稼働予想情報は、前記稼働状況データベースに蓄積された前記選択充電スタンドの所定期間内における前記到着予想時刻と同一曜日、同一時刻の前記充電予約を含むこと特徴とする請求項４に記載の案内システム。
【発明の詳細な説明】
【技術分野】
【０００１】
本発明は、電気自動車のバッテリを充電するための充電スタンドに車両を導くための該充電スタンドの各種情報を案内する案内システムに関する。
【背景技術】
【０００２】
バッテリから供給される電気によってモータを駆動し走行する電気自動車では、バッテリに電気を充電しておく必要がある。このバッテリの充電は化学反応を利用しており、ガソリン自動車の給油のように短時間で行うことは難しく、充電による負荷を大きくするとバッテリ寿命を縮めてしまうことにもなる。故に、一般的には、ガソリン自動車の走行可能距離に対する給油時間と比較して、電気自動車の走行可能距離に対する充電時間は非常に長くなるのである。
【０００３】
ところで、電気自動車のバッテリを充電するための充電スタンドでは、１の車両の充電が終わるまでは他の車両を充電できず、充電スタンドの近傍で待機させなければならない。上記したように、電気自動車の充電時間は長くなる傾向にあるから、かかる待機は、利用者の利便性を欠くとともに、スペース効率の大幅な低下を引き起こしてしまう。また、待機場所にも充電スタンドを増設することも考慮されるが、設備導入コストの上昇や、最大使用電力に従属させて電力契約をする慣行上、電力コストを上昇させてしまう場合もある。そこで、充電スタンドの待機時間情報を提供し待機時間を減らそうとするシステムが提案されている。
【０００４】
例えば、特許文献１では、正確な待機時間情報を提供できるシステムとして、監視カメラで充電スタンドの待機車両を確認するとともに、各車両から充電要求量を取得し必要充電時間を算出、充電中の車両の充電残時間に待機車両の必要充電時間を加算して合計充電待ち時間を求めてこれを各充電スタンドに提示するとしている。利用者は、待機時間の最小となる充電スタンドを選択し、結果として、充電スタンドの待機時間が平準化されて緩和されるのである。
【０００５】
また、特許文献２では、充電スタンドを広域に亘って案内するシステムにおいて、車両の充電スタンドに到達するまでの時間が長くなることから、充電スタンドの稼働状況が変化してしまうことを述べた上で、より信頼性の高い情報を電気自動車の運転者に与えることができることが望まれるとしている。そこで、充電スタンド毎に車両の到着時刻に対応した補正した稼働状況を逐次提供するシステムが提案されている。
【０００６】
また、充電スタンドにおける車両の待機時間を減じるよう、充電スタンドを予約した上で利用させる電気自動車用充電スタンド案内システムも提案されている。
【０００７】
例えば、特許文献３では、予約の申し込みを受けると、車両の過去の充電利用に関するデータに基づいて充電に必要な時間を予測し、予約スケジュールを作成する電気自動車用充電スタンド案内システムを提案している。直ちに又は所定時間以内に充電スタンドを利用する場合については、現在の充電スタンドの稼働状況に基づいて待機時間の少ない充電スタンドを特定し案内できる。一方で、先の予約スケジュールにおいては、電気自動車に搭載されるバッテリの性能や容量、使用期間や使用状況による劣化具合、バッテリの残容量などが一定でないことから、個々のバッテリについて充電時間を予測できず、正確に作成することが難しくなる。そこで、車両の過去の充電利用に関するデータに基づいて予約スケジュールを作成し、充電スタンドにおける待機時間を減少させ、充電スタンドの稼働効率を向上させるとしている。
【先行技術文献】
【特許文献】
【０００８】
【特許文献１】特開２０１１−２１４９３０号公報
【特許文献２】特開２０１１−１０２７３９号公報
【特許文献３】特開２０１１−１６４７７１号公報
【発明の概要】
【発明が解決しようとする課題】
【０００９】
充電スタンドを予約した上で利用させる電気自動車用充電スタンド案内システムでは、特許文献３に述べられているように、精度のよい予約スケジュールを作成することで充電スタンドにおける車両の待機時間を減少させ、充電スタンドの稼働効率を向上させることができる。
【００１０】
本発明はかかる状況に鑑みてなされたものであって、その目的とするところは、充電スタンドにおける車両の待機時間を減少させ、充電スタンドの稼働効率を向上させ得る電気自動車用充電スタンド案内システムを提供することにある。
【課題を解決するための手段】
【００１１】
本発明による電気自動車のバッテリを充電するための充電スタンドの案内システムは、前記充電スタンドの位置情報を蓄積した充電スタンドデータベースと、前記充電スタンド毎の過去から現在までの稼働状況を蓄積した稼働状況データベースと、情報処理を行う制御部と、を含み、前記制御部は、前記充電スタンドから選択された選択充電スタンド及び到着予想時刻の決定を受けて、前記稼働状況データベースの前記選択充電スタンドの過去の稼働状況から前記到着予想時刻における稼働予想情報を作成することを特徴とする。
【００１２】
かかる発明によれば、電気自動車の利用する充電スタンドの利用時の稼働予想情報を提供することで、より適した充電スタンドを選択させ利用させることができるようになり、充電スタンドにおける車両の待機時間を減少させ、充電スタンドの稼働効率を向上させ得るのである。
【００１３】
上記した発明において、前記車両毎に搭載されたバッテリデータを蓄積した会員車両データベースを更に含み、前記制御部は、案内の対象となる車両である案内車両を特定するＩＤとともに、現在位置の位置情報を受信すると、前記充電スタンドデータベースから前記位置情報に対応して前記充電スタンドを前記選択充電スタンドとして選択し、前記案内車両と前記選択充電スタンドとの距離から到着予想時刻を算出し、この決定を受けて、稼働予想情報を作成することを特徴としてもよい。かかる発明によれば、案内車両の利用する充電スタンドの利用時の稼働予想情報を提供することで、最適な充電スタンドを選択させ利用させることができるようになり、充電スタンドにおける車両の待機時間を減少させ、充電スタンドの稼働効率を向上させ得るのである。
【００１４】
上記した発明において、前記稼働予想情報は、前記稼働状況データベースに蓄積された前記選択充電スタンドの所定期間内における前記到着予想時刻と同一曜日、同一時刻の稼働状況を含むことを特徴としてもよい。かかる発明によれば、稼働予想情報の確度を高めて、より充電スタンドの稼働効率を向上させ得る。
【００１５】
上記した発明において、前記制御部は、前記案内車両から前記選択充電スタンドの予約を受信すると、バッテリ情報を更に受信し、前記会員車両データベースの前記バッテリデータから前記案内車両の前記選択充電スタンドで充電したときに要する時間である占有時間を算出し、前記到着予想時刻及び前記占有時間に基づいて前記選択充電スタンドにおける充電予約を前記稼働状況データベースに更新しつつ蓄積することを特徴としてもよい。かかる発明によれば、算出した占有時間に基づく予約により、充電スタンドの稼働効率を向上させ得る。
【００１６】
上記した発明において、前記稼働予想情報は、前記稼働状況データベースに蓄積された前記選択充電スタンドの所定期間内における前記到着予想時刻と同一曜日、同一時刻の前記充電予約を含むこと特徴としてもよい。かかる発明によれば、充電予約を含んだ稼働予想情報を案内車両に提示できて、充電スタンドの稼働効率をより向上させ得る。
【図面の簡単な説明】
【００１７】
【図１】車両の充電スタンドの選択についての説明図である。
【図２】車両の予約する充電スタンドの選択についての説明図である。
【図３】本発明による電気自動車用充電スタンド案内システムのブロック図である。
【図４】充電スタンド案内システムの使用方法を示すフロー図である。
【図５】充電スタンド案内システムの使用方法を示すフロー図である。
【図６】充電スタンド案内システムの使用方法を示すフロー図である。
【発明を実施するための形態】
【００１８】
まず、電気自動車が近隣に複数ある充電スタンドを選択して利用する場合の状況について図１を用いて説明する。
【００１９】
図１（ａ）に示すように、電気自動車である車両ａ、ｂ、ｃのそれぞれが、充電スタンドを利用しようとしているものとする。このとき、各車両の運転者や同乗者であるユーザは、近隣にある充電スタンドとして充電スタンドＡ及びＢの位置を知っているものとする。そして、車両ａ、ｂのユーザが、例えばより近い充電スタンドとして充電スタンドＡを選択し、車両ｃのユーザが充電スタンドＢを選択して、それぞれの充電スタンドへ向かう。しかし、充電スタンドＡが多くの充電待ちの車両で混雑しており、充電スタンドＡをこれから利用すると待ち時間が長くなることに車両ａ、ｂのユーザは充電スタンドＡの設置場所に到着してから気づくことになる。その結果、車両ａ、ｂのユーザは長い待ち時間のために時間を浪費してしまう。また、充電スタンドＡは多数の充電待ち車両で満車となり、充電スタンドＢは空くという状況が続く。つまり、近隣の充電スタンドＡ及びＢの稼働効率が悪い状況となってしまう。
【００２０】
そこで、車両ａ〜ｃのユーザに、それぞれの充電スタンドの設置場所に到着したときの充電スタンドの稼働状況の予想として、充電待機中の車両の台数や混雑状況などの稼働予想情報が提示されるとする。一般に、ユーザは混雑の予想される充電スタンドを避ける傾向にある。すなわち、図１（ｂ）に示すように、稼働予想情報に基づき各ユーザは自らの都合として時間効率等を考慮して空いていると予想される充電スタンドを選択する。例えば、稼働予想情報により充電スタンドＡの混雑が予想された場合に、車両ａ、ｂのユーザは充電スタンドＢを選択する。また、例えば、特に急いで充電する必要のない場合には、車両ｃのユーザのように、稼働予想情報に基づいて一旦帰宅したり、他の用事を済ませたりすることもできる。つまり、各ユーザは時間の浪費を抑制できる。また、稼働予想情報によって空いている又は混雑しない充電スタンドにユーザの誘導される確率が上昇する。その結果、充電スタンドでの車両の待機時間を減少させ、近隣の充電スタンドの稼働効率を向上させることができるのである。なお、稼働予想情報の代わりに、現在の稼働状況を各ユーザに提示した場合には、各ユーザの充電スタンドへの到着時刻には稼働状況の変化が予想され、却って近隣の充電スタンドの稼働効率を低下させ兼ねない。
【００２１】
また、図２（ａ）に示すように、充電スタンドの予約を行う場合において稼働予想情報が提示されない場合、ユーザは到着が予想される時刻に予約の空きのある充電スタンドを選択する。ここで、図示したように、充電スタンドＡ及びＢの両者とも到着が予想される時刻に空きがあるとする。予約を行う場合は、予約の空きを確認できることがほとんどであり、現在の予約状況がユーザに提示される。すると、現在空いている充電スタンドＢの方が到着時に混雑している可能性が低く、予約した通りの時刻に充電できる可能性が高いとユーザが判断する。つまり、充電スタンドＢを選択し予約（Ｒ）を行う。しかし、到着時に充電スタンドＢが混雑し、充電スタンドＡが空いてしまった場合は、ユーザの予約が充電スタンドＢの混雑を助長し、近隣の充電スタンドＡ及びＢの稼働効率を低下させてしまう。これに対し、図２（ｂ）に示すように、ユーザに稼働予想情報が提示された場合、ユーザは到着時に混雑している可能性の低い充電スタンドＡの方が、予約した通りの時刻に充電できる可能性が高いと判断する。つまり、充電スタンドＡを選択し予約（Ｒ）を行う。ここで、上記と同様に、到着時に充電スタンドＢが混雑し、充電スタンドＡが空いた場合は、空いている充電スタンドＡにおいてユーザが充電を行うから、近隣の充電スタンドＡ及びＢの稼働効率を向上させ得る。
【００２２】
上記したように、利用できる近隣の充電スタンドの稼働予想情報を各車両のユーザに提示できれば、近隣の充電スタンドの稼働効率を向上させることができる。本願発明者はかかる点に着目し、稼働予想情報を電気自動車のユーザに提示するための電気自動車用の充電スタンド案内システムを着想した。
【００２３】
次に、図３を用いて本発明による１つの実施例としての充電スタンド案内システムについて説明する。
【００２４】
図３に示すように、充電スタンド案内システム１は、インターネットなどの通信ネットワーク５０に接続可能なサーバ１０と、通信ネットワーク５０に接続される複数の充電スタンド２１Ａ〜２１Ｅとを含む。通信ネットワーク５０には、道路を走行中の車両３０の通信装置３１によって無線通信の可能なアクセスポイント５１が接続されている。
【００２５】
サーバ１０は、制御部１１と、記憶部１５と、情報の送受信を仲介する通信部１９と、図示しない入出力部とを含む。制御部１１は、所定のプログラムを実行する図示しないＣＰＵ、及び、かかるプログラムを格納するＲＯＭやプログラムの実行に必要な情報を一時的に記憶させるＲＡＭからなる図示しないメモリを含む。制御部１１はかかるプログラムの実行により、後述する到着予想時刻演算部１２ａ、走行可能距離演算部１２ｂ、充電待ち時間演算部１２ｃ、稼働予想情報作成部１２ｄ及び占有時間演算部１２ｅとしてのそれぞれの演算等の動作を実行することができる。記憶部１５は、充電スタンド２１Ａ〜２１Ｅの位置情報やそれぞれを特定する名称などの情報を蓄積した充電スタンドデータベース１６と、充電スタンド２１Ａ〜２１Ｅの過去から現在までの稼働状況及び予約状況についての情報を蓄積した稼働状況データベース１７と、充電スタンド案内システム１を利用可能な会員に関する会員データ及びその使用する車両の仕様に関する車両データを蓄積した会員車両データベース１８とを含む。会員データとしては、会員のＩＤ番号を含み、車両データとしては積載しているバッテリの満容量やなどのバッテリデータ、バッテリの残容量に対する走行可能距離データなどを含む。ここで、会員のＩＤとその会員の使用する車両との対応がとれていることが好ましい。また、会員ＩＤの代わりに車両を特定できる車両ＩＤを用いることもできる。なお、サーバ１０は複数台のサーバにより構成されていてもよく、また、各データベースをサーバ１０の接続可能な他のサーバの記憶装置に記憶させてもよい。
【００２６】
充電スタンドは充電ステーションの敷地内に設置される。本実施例では、充電スタンド２１Ａ及び２１Ｂは充電ステーション２０ａの敷地内に設置され、充電スタンド２１Ｃ〜２１Ｅは充電ステーション２０ｂの敷地内にそれぞれ設置されている。充電スタンド２１Ａ〜２１Ｅは図示しない記憶装置及び通信装置を含み、それぞれの稼働状況を示す情報としての充電スタンド２１Ａ〜２１Ｅのそれぞれの充電作業記録や予約記録などを記憶するとともに、通信ネットワーク５０を介してサーバ１０へこれらの記録を送信できる。
【００２７】
車両３０は充電スタンド案内システム１を利用するユーザの使用する電気自動車であり、少なくともアクセスポイント５１と無線通信できる通信装置３１を積載している。通信装置３１は、車両３０の位置を特定するためのＧＰＳ機能を有し、これにより車両３０の現在地を示す位置情報を取得できる。また、通信装置３１は、図示しない入力部及び表示部を有し、図示しない車載装置から車両３０の積載するバッテリの残容量を含むその時点でのバッテリ情報を取得する機能を有していると好ましい。通信装置３１は、取得した車両の位置情報やバッテリ情報を、その時点での車両情報として送信可能である。通信装置３１としては、例えば、カーナビゲーション装置、テレマティクスサービス用の車載装置、携帯電話やタブレットＰＣなどの携帯端末などを使用できる。
【００２８】
続いて、充電スタンド案内システム１の使用方法について、図４乃至図６を用いて説明する。
【００２９】
図４に示すように、ユーザ３が、自らの乗車する車両３０の充電を行うために、まず、充電スタンド案内システム１によって近隣の充電スタンドの検索を開始すべく、通信装置３１を操作する（Ｓ１）。通信装置３１はかかる操作に応じて検索開始画面を表示する（Ｓ２）。続いて、ユーザ３は通信装置３１にユーザＩＤ及びパスワードを入力する（Ｓ３）。通信装置３１は、入力されたユーザＩＤ及びパスワードをサーバ１０へ向けて送信する（Ｓ４）。これを受信したサーバ１０は、会員車両データベース１８から同一のユーザＩＤに対応する会員情報を検索し取得する。そして、入力されたパスワードと会員情報のパスワードとの照合を行う（Ｓ５）。照合の結果、パスワードが不一致であれば（Ｓ６、Ｎ）、充電スタンド案内システム１の利用が不可能である旨の通知を返信し、これが通信装置３１に表示される（Ｓ７）。パスワードが一致すると（Ｓ６、Ｙ）、充電スタンド案内システム１の利用が可能である旨の通知を返信し、これが通信装置３１に表示され（Ｓ８）、ユーザ３に報知される。
【００３０】
利用可能の旨の通知を受信したら、通信装置３１は、車両情報として、上記した車両の位置情報及びバッテリ情報を送信して良いかをユーザ３に確認するため、車両情報要求画面を表示させる（Ｓ９）。ユーザ３がこれに応じて車両情報の送信を許可する操作を行うと（Ｓ１０）、通信装置３１は車両情報をサーバ１０に向けて送信する（Ｓ１１）。
【００３１】
図３を併せて参照すると、車両情報を受信したサーバ１０は、車両３０の位置情報に基づき、その近隣の充電スタンドを充電スタンドデータベース１６から選択充電スタンドとして所定数だけ選択する。ここで、充電スタンドを複数有する充電ステーションのある場合には、選択の対象を充電ステーションとすることが好ましいが、説明を単純にするため、以下において選択の対象を充電スタンドとする。
【００３２】
サーバ１０は、その到着予想時刻演算部１２ａにより、車両３０の位置情報と選択充電スタンドの位置情報から互いの距離を算出するとともに、車両３０の選択充電スタンドへの到着予想時刻を算出する（Ｓ１２）。また、サーバ１０は、走行可能距離演算部１２ｂにより、会員車両データベース１８より車両データとしてバッテリの残容量に対する走行可能距離データを取得し、通信装置３１から受信した車両情報のうちの現在のバッテリ残容量に基づいて走行可能距離を算出する（Ｓ１３）。このとき、サーバ１０は、選択充電スタンドが走行可能距離内にあるかを判定し、ない場合は選択充電スタンドとして他の充電スタンドを選択したり、選択充電スタンドの数を減じたりすることができる。さらに、サーバ１０は充電待ち時間演算部１２ｃにより、稼働状況データベース１７から充電予約に関する情報である予約情報を取得し、上記で算出した到着予想時刻に基づいて充電待ち時間を算出する（Ｓ１４）。サーバ１０は、さらに、稼働予想情報作成部１２ｄにより、稼働状況データベース１７から得た過去の稼働状況に基づいて、稼働予想情報を作成する（Ｓ１５）。過去の稼働状況として、例えば、到着予想時刻と同一時刻、同一曜日の過去の充電作業の記録、予約に関する記録、選択充電スタンドの設置されている充電ステーションにおける充電待ちの車両の台数などをそのまま用いたり、適宜加工したりすることができる。また、稼働予想情報には、稼働状況データベース１７から得た後述する充電予約や充電待機についての情報を加えても良い。これにより、稼働予想情報としての信頼度を向上させ得る。稼働予想情報には、さらに、上記で得た距離、到着予想時刻、走行可能距離、予約情報、充電待ち時間を含んでもよい。
【００３３】
作成された稼働予想情報は、対応する選択充電スタンドに関する名称、所在地などの情報とともに通信装置３１に返信されてその表示部に表示される（Ｓ１６）。ユーザ３は稼働予想情報を基に、これから充電に利用しようとする充電スタンドを選択充電スタンドの中から１つ選択しこれを通信装置３１にて指定する入力を行う（Ｓ１７）。通信装置３１は、ユーザ３に選択された充電スタンドを表示させ（Ｓ１８）、必要に応じて後述する充電予約の処理を行う。ここで、通信装置３１はユーザ３に選択された充電スタンドまでのルートを表示できることが好ましい。
【００３４】
なお、選択充電スタンドの選択において、車両３０の位置情報から距離の近い順に選択する方法が考慮される。また、目的地情報を車両３０から通信装置３１やその他の通信機器を介して得てそのルートを確定させ、かかるルートに沿って、又はそのルートからの距離に基づいて選択する方法、これらにユーザの好みなどの情報を付加して選択する方法なども考慮される。なお、本明細書で言う「距離」は２点間の直線距離であってもよいが、道路に沿った道のりであることが好ましい。また、各演算部により算出される結果を通信装置３１からサーバ１０に送信することで、かかる演算部を介さずに稼働予想情報作成部１２ｄにより稼働予想情報を作成することができる。例えば、到着予想時刻演算部１２ａを介さずとも、到着予想時刻を通信装置３１から送信すれば、稼働予想情報を作成できるのである。
【００３５】
上記したように、ユーザ３は、充電スタンド案内システム１を使用することにより、近隣の選択充電スタンドについての稼働予想情報を参照することができ、これに基づいてこれから充電を行う充電スタンドを選択することができる。また、稼働予想情報に基づいて、例えば他の用事を先に済ませてから後で充電を行ったり、帰宅したり、といった充電を行う以外の行動を自らの都合に合わせて選択することができる。一般に、混雑の予想される充電スタンドを好んで利用し充電を行うユーザは少ないから、空いている又は混雑しない充電スタンドにユーザが誘導される確率が上昇する。その結果、充電スタンドにおける車両の待機時間を減少させ、近隣の充電スタンドの稼働効率を向上させることができるのである。
【００３６】
続いて、図５に示すように、充電予約を行う場合は、上記したユーザ３に選択された充電スタンドの通信装置３１への表示（Ｓ１８）に引き続いて行う。
【００３７】
すなわち、ユーザ３は、選択した充電スタンドでの充電予約をする場合には、通信装置３１に表示された充電スタンドを予約充電スタンドとして決定し（Ｓ２１）、その旨を通信装置３１に入力する（Ｓ２２）。通信装置３１は、予約充電スタンドを特定する情報と、ユーザ３の車両３０についての現在のバッテリの残容量を含むバッテリ情報とをサーバ１０に向けて送信する（Ｓ２３）。上記した車両情報の送信（Ｓ１１）においてバッテリ情報が送信されていれば、ここで送信せずともよい。これを受信したサーバ１０は、占有時間演算部１２ｅ（図３参照）により、会員車両データベース１８から得た少なくともバッテリの満容量を含むバッテリデータを得て、通信装置３１から受信したバッテリの残容量を用いて充電に必要な時間を占有時間として算出する（Ｓ２４）。このとき、車両３０と充電スタンドとの距離、及び、車両データに基づいて、充電スタンドに到着したときのバッテリの残容量を推定した上で占有時間の算出を行うとより正確である。さらに、サーバ１０は、得られた占有時間、到着予想時刻及びユーザ３のユーザＩＤを充電予約に加えて更新するとともに、これを稼働状況データベース１７に蓄積させる（Ｓ２５）。サーバ１０は、充電予約の完了を通知する予約完了通知を作成して通信装置３１に返信する（Ｓ２６）。通信装置３１は予約完了通知２７を表示させ、ユーザ３に充電予約が完了したことを報知する（Ｓ２７）。なお、充電スタンドを複数有する充電ステーションの場合、各充電スタンドの予約とすることも、充電スタンドを特定せずに充電ステーション内のいずれか１台の充電スタンドの予約とすることもできる。
【００３８】
さらに、予約をせずにユーザ３が充電スタンドに赴き、充電の順番を待って、すなわち充電待機をして充電を行う場合について説明する。なお、以下においてユーザ３は充電スタンドの充電器を直接、又は、充電ステーションの敷地内のコンソールを用いて操作することとするが、通信装置３１を介して、車両３０内から充電器を操作できるようにしてもよい。
【００３９】
図６に示すように、ユーザ３が充電ステーションに入場し（Ｓ３１）、充電スタンド２１にユーザＩＤを入力する（Ｓ３２）。パスワードも入力させて認証をすることとしてもよい。ここで、ユーザＩＤとパスワードの代わりに、磁気カードやＩＣカード、指紋などを用いてユーザ又は車両を特定できるようにしてもよい。充電スタンド２１は、ユーザＩＤにより充電待機を受け付け、ユーザＩＤをサーバ１０に送信する（Ｓ３３）。サーバ１０は、ユーザＩＤに基づいて充電待機情報を作成し、稼働状況データベース１７に蓄積する（Ｓ３４）。充電待機情報は上記した予約情報を含むとよい。
【００４０】
次いで、サーバ１０は、占有時間演算部１２ｅ（図３参照）により、会員車両データベース１８から得た少なくともバッテリの満容量を含むバッテリデータを得るとともに、別途通信装置３１からバッテリの残容量を含むバッテリ情報を受信して充電に必要な時間を占有時間として算出する（Ｓ３５）。なお、バッテリ情報を受信できない場合は、ユーザ３の過去の平均的な充電時間を会員車両データベース１８から得て代用してもよく、他のユーザの平均的な充電時間、同型式の車両の平均的な充電時間などで代用してもよい。サーバ１０は、稼働状況データベース１７の充電待機情報を参照し、ユーザ３の車両３０が充電待機している車両の１台目（１車両目）であるかを判断し、１台目である場合は（Ｓ３６、Ｙ）、占有時間を充電スタンド２１に表示させ（Ｓ３７）、後述する充電開始が可能である旨を表示する（Ｓ５１）。２台目以降である場合は（Ｓ３６、Ｎ）、待機目安時間及び占有時間を表示する（Ｓ３９）。ここで、待機目安時間は、ユーザ３より充電の順番が前の充電待機又は充電予約をしている他の車両の占有時間の合計であるが、上記した占有時間の代用の時間の合計であってもよい。また、併せて、順番待ち（充電待機及び充電予約）をしている車両の台数を表示するとよい。
【００４１】
表示された待機目安時間を見て、ユーザ３は、充電待機をするか否か、その是非についての入力を行う（Ｓ４０）。充電スタンド２１は、入力結果が充電待機をしないとの結果である場合に（Ｓ４１、Ｎ）、サーバ１０に向けて充電待機を否定した旨の情報を送る。サーバ１０はこれを受信して稼働状況データベース１７の充電待機情報から、ユーザ３についての充電待機情報を消去（クリア）する（Ｓ４２）。入力結果が充電待機をするとの結果である場合に（Ｓ４１、Ｙ）、充電スタンド２１はサーバ１０に向けて充電待機を肯定した旨の情報を送る。なお、入力が肯定であるか否定であるかの判断（Ｓ４１）は、サーバ１０で行ってもよい。充電待機を肯定する旨の情報を受信したサーバ１０は、図示しない充電開始予定時刻演算部により、充電開始予定時刻を算出する（Ｓ４３）。充電開始予定時刻は、現在の時刻から上記した待機目安時間を経過したときの時刻である。充電開始予定時刻は充電スタンド２１に送信されて表示される（Ｓ４４）。なお、このとき、充電開始予定時刻までに余裕があれば、ユーザ３は車両３０ごと充電スタンド２１を離れることも可能である。
【００４２】
充電開始予定時刻が近づいたら、サーバ１０は充電開始の通知を行う（Ｓ４５）。充電開始の通知は、例えば、ユーザ３より充電の順番が１台前の車両の充電完了予定時刻の所定時間だけ前に通知することができる。充電完了予定時刻は、１台前の車両のバッテリの残容量を充電中に充電スタンド２１で測定して充電完了までにかかる占有時間をサーバ１０によって算出することで得られる。また、充電開始の通知は、通信装置３１に向け行う他に、ユーザ３の指定する他の携帯端末に電子メールを送信するなどして行ってもよい。また、充電ステーション内に待機場所を設けている場合には、その待機場所からユーザ３に見えるように、又は、その待機場所でユーザ３に聞こえるように画像又は音声で報知することもできる。充電開始の通知は、他の任意のタイミングで、また複数回に分けて行うこともできる。
【００４３】
充電開始の通知を受けたユーザ３は、充電位置へ車両３０を移動させ（Ｓ４６）、充電スタンド２１にユーザＩＤを入力する（Ｓ４７）。充電スタンド２１は、入力されたユーザＩＤをサーバ１０に転送し（Ｓ４８）、サーバ１０にて充電待機情報と照合して所定の順番で待機するユーザであるかを確認する。入力されたＩＤが充電待機情報のＩＤの一致しなかった場合（Ｓ４９、Ｎ）、現在からの待機目安時間及び占有時間を充電スタンド２１に改めて表示させ、ユーザ３にさらなる待機を促す。ＩＤが一致した場合（Ｓ４９、Ｙ）、充電スタンド２１は充電開始可能である旨を表示する（Ｓ５１）。ここで、上記したように、ユーザ３の車両３０が充電待機している車両の１台目であった場合（Ｓ３６、Ｙ）もかかる表示を行い、以下の処理は共通する。なお、車両３０の順番になって所定時間が経過しても車両３０に対応するＩＤが入力されなかった場合には、車両３０についての充電待機情報を消去（クリア）するようにしてもよい。
【００４４】
ユーザ３は、必要に応じて充電スタンド２１のコネクタを車両３０のソケットに接続し、充電開始の指示を充電スタンド２１に入力する（Ｓ５２）。充電スタンド２１はこれを受けて車両３０に搭載されたバッテリを満容量になるまで充電する（Ｓ５３）。このとき、充電スタンド２１によりバッテリの残容量を改めて測定し、サーバ１０にバッテリデータのうちのバッテリの満容量に基づき占有時間を改めて算出させ、これを充電スタンド２１に改めて表示させるようにしてもよい。充電スタンド２１は、充電が完了したら充電完了画面を表示させ（Ｓ５４）、充電が完了した旨の情報をサーバ１０へ送信する。サーバ１０はこれを受けて、稼働状況データベース１７の充電待機情報のうち、ユーザ３についての充電待機情報を消去（クリア）する（Ｓ５５）。ユーザ３は充電の完了を充電スタンド２１の表示で確認し、必要に応じてコネクタを車両３０から外し、充電スタンド２１から離れ、充電ステーションから退出する（Ｓ５６）。
【００４５】
以上のように、電気自動車用の充電スタンド案内システム１によれば、稼働予想情報に基づいて、ユーザ３は自らの都合に合わせて充電を行う充電スタンドを選択し、又は他の行動を選択できる。これにより、充電スタンドにおける車両の待機時間を減少させ、近隣の充電スタンドの稼働効率を向上させることができる。
【００４６】
また、充電の予約や待機もできて、ユーザは自らにとって都合の良い行動を選択する幅を広げることができる。その上で、稼働予想情報に充電予約や充電待機の情報を含ませることで、稼働予想情報の信頼度をさらに向上させ得る。結果として、近隣の充電スタンドの稼働効率をさらに向上させることができる。
【００４７】
ここまで本発明による代表的実施例及びこれに基づく変更例を説明したが、本発明は必ずしもこれら実施例及び変更例に限定されるものではなく、当業者であれば、添付した特許請求の範囲を逸脱することなく種々の代替実施例を見出すことができるであろう。
【符号の説明】
【００４８】
１    充電スタンド案内システム
１０  サーバ
１１  制御部
１５  記憶部
２０ａ、２０ｂ  充電ステーション
２１（２１Ａ〜２１Ｅ）  充電スタンド
３０  車両
３１  通信装置
５０  通信ネットワーク
【図１】
2014225167.tif 000003
【図２】
2014225167.tif 000004
【図３】
2014225167.tif 000005
【図４】
2014225167.tif 000006
【図５】
2014225167.tif 000007
【図６】
2014225167.tif 000008